(57)【要約】      （修正有）【課題】開閉扉を備える各種の家具、キッチン、遊技機などに適用でき、特に遊技機の前扉に適用すると、遊技機のメンテナンス作業時に作業者が前扉に手を挟まれることが少ないスライドヒンジを提供する。【解決手段】固定ヒンジ枠体５には、前リンク８および後リンク１０の基端部を貫通する第１軸ピン１６および第２軸ピン１８を固着し、一方、ブラケット７には、前リンクおよび後リンクの先端部を貫通する第３軸ピン２８および第４軸ピン３０を固着するとともに、第１から第４軸ピンの少なくとも１本に制動装置３６，３８を取り付け、制動装置ではプラスチック制動筒体を軸ピンに密に嵌装し、制動部材と一体作動の保持部材を前リンクまたは後リンクに設置する。    【選択図】図５
0003188391.tif 000002
【実用新案登録請求の範囲】
【請求項１】
固定ヒンジ枠体と、該固定ヒンジ枠体に対して回動可能に配置するブラケットと、所定の間隔をおいて前後に配列させ且つ固定ヒンジ枠体およびブラケットにそれぞれ軸着する前リンクおよび後リンクとを備えるスライドヒンジであって、固定ヒンジ枠体には、前リンクおよび後リンクの基端部を貫通する第１軸ピンおよび第２軸ピンを固着し、一方、ブラケットには、前リンクおよび後リンクの先端部を貫通する第３軸ピンおよび第４軸ピンを固着するとともに、第１から第４軸ピンの少なくとも１本に制動装置を取り付け、該制動装置ではプラスチック制動筒体を軸ピンに密に嵌装し、該制動部材と一体作動の保持部材を前リンクまたは後リンクに設置することによってブラケットの回動を常に制動するスライドヒンジ。
【請求項２】
前リンクおよび後リンクはほぼ等長であり、プラスチック制動筒体を第２および第３軸ピンにそれぞれ密に嵌装する請求項１記載のスライドヒンジ。
【請求項３】
制動装置は、軸ピンに密に嵌装するプラスチック制動筒体と、該制動部材の外周を取り囲む板バネ製の保持部材と、制動筒体および保持部材の平行延長部を貫通して前リンクまたは後リンクにねじ込むボルトとを有し、該ボルトによって保持部材で制動筒体を内方へ締め付ける請求項１または２記載のスライドヒンジ。
【請求項４】
制動本体は、軸ピンを密に嵌入するプラスチック制動筒体と、該制動筒体を静止収納するための貫通孔を設けたプラグ状の保持部材とを有し、該保持部材を前リンクまたは後リンクと一体的に設置することにより、該保持部材で制動筒体の締め付けを維持させる請求項１または２記載のスライドヒンジ。
【請求項５】
前面に開口部を有する筐体と、該筐体の開口部を閉鎖するように傾斜配置する前扉とを有する遊技機において、少なくとも２個のスライドヒンジを上下に分けて前扉と筐体の隣接側縁に取り付けることにより、前扉の開閉作動を確実に制動する請求項１記載のスライドヒンジ。
【考案の詳細な説明】
【技術分野】
【０００１】
本考案は、開閉扉を備える各種の家具、キッチン、遊技機などに適用できるスライドヒンジに関し、特に遊技機の前扉に適用すると、該遊技機のメンテナンス作業時に作業者が前扉に手を挟まれることが少ないスライドヒンジに関する。
【背景技術】
【０００２】
スライドヒンジは、家具やキッチンの開閉扉に取り付けるとその開閉作動が滑らかになり、その扉が筐体の前面開口部に近接して筐体全体を覆っていても、開扉時に筐体の側板に干渉することが少ない。スライドヒンジには、各種のサイズのものが存在し、比較的小型のスライドヒンジであると、特開平５−１３３１５４号に例示するように家具やキッチンの扉に取り付ける。また、特開２００４−１８３４０１号や特開２０１３−１５９９６５号に開示するように、パチスロ機やパチンコ機のような遊技機の前扉に取り付ける場合には、その重量に応じて大型のスライドヒンジを用いる。
【０００３】
パチスロ機やパチンコ機について、その前扉は、コインやパチンコ玉の補充などの日々のメンテナンスを行うために開閉され、機器の全面的な補修や交換の際にも前扉自体を全開しておくことが必要である。この前扉は、筐体前面の開口部とほぼ同じ大きさであり、さらに大型の液晶表示体、ガラス表示窓、メダル投入口、スタートレバーなどの部材が設置されることにより、前扉の重さが２０ｋｇ近くに達することがあり、大型の金属製スライドヒンジが筐体側壁の上下に分けて設置されている（図９参照）。
【先行技術文献】
【特許文献】
【０００４】
【特許文献１】特開平５−１３３１５４号公報
【特許文献２】特開２００４−１８３４０１号公報
【特許文献３】特開２０１３−１５９９６５号公報
【考案の概要】
【考案が解決しようとする課題】
【０００５】
パチスロ機の前扉は、完全に垂直方向で筐体に取り付けるのではなく、該前扉の上方が５度前後後方へ傾いているため、該前扉を大きく開扉しておいてもその重量で自然に閉じてくる。このため、既存のスライドヒンジを取り付けて前扉を開閉可能とした遊技機では、前扉を開いて従業員が日常のメンテナンスを行っている時に、重さが２０ｋｇ近い前扉が自然に閉じてきて従業員の指を挟む事故が頻発している。
【０００６】
前扉の自然閉扉を防止するために、特開２００４−１８３４０１号および特開２０１３−１５９９６５号は、スライドヒンジの内部にコイルバネおよびカム部材などを設置している。このコイルバネが、内側アームを付勢して当接軸が側板部の受け凹部に嵌まったり、該バネがカム部材を付勢することにより、前扉を全閉位置や半開位置さらに全開位置で静止でき、メンテナンス作業時に前扉が自然に閉じることを防止する。
【０００７】
前記のスライドヒンジは、前扉を複数の開扉位置に静止できるとしても、前扉の重さが約２０ｋｇに達してしまうと、その重量による自然回動に対抗できずに所定の開扉位置で確実に静止させておくことが困難である。また、前扉を複数の開扉位置で静止できたとしても、その開扉位置がより多くなればなるほど、パチスロ機のメンテナンス作業をいっそう容易に行うことができる。
【０００８】
本考案者は、重い前扉を有するパチスロ機などに用いるスライドヒンジに関する前記の問題点を改善するために、使用する４本の軸ピンの少なくとも１本に制動装置を取り付けることにより、開閉扉を任意の開扉位置で静止できるスライドヒンジを提供することを目的としている。本考案の他の目的は、軸ピンに密に嵌装するプラスチック制動筒体を保持部材で締め付けることにより、２０ｋｇ前後の重い開閉扉でも確実に制動できるスライドヒンジを提供することである。
【課題を解決するための手段】
【０００９】
本考案に係るスライドヒンジは、固定ヒンジ枠体と、該固定ヒンジ枠体に対して回動可能に配置するブラケットと、所定の間隔をおいて前後に配列させ且つ固定ヒンジ枠体およびブラケットにそれぞれ軸着する前リンクおよび後リンクとを備える。このスライドヒンジにおいて、固定ヒンジ枠体には、前リンクおよび後リンクの基端部を貫通する第１軸ピンおよび第２軸ピンを固着し、一方、ブラケットには、前リンクおよび後リンクの先端部を貫通する第３軸ピンおよび第４軸ピンを固着するとともに、第１から第４軸ピンの少なくとも１本に制動装置を取り付け、該制動装置ではプラスチック制動筒体を軸ピンに密に嵌装し、該制動部材と一体作動の保持部材を前リンクまたは後リンクに設置することによってブラケットの回動を常に制動する。
【００１０】
本考案に係るスライドヒンジにおいて、前リンクおよび後リンクはほぼ等長であり、プラスチック制動筒体を第２および第３軸ピンにそれぞれ密に嵌装することが可能である。制動装置は、軸ピンに密に嵌装するプラスチック制動筒体と、該制動部材の外周を取り囲む板バネ製の保持部材と、制動筒体および保持部材の平行延長部を貫通して前リンクまたは後リンクにねじ込むボルトとを有し、該ボルトによって保持部材で制動筒体を内方へ締め付ければよい。また、制動本体は、軸ピンを密に嵌入するプラスチック制動筒体と、該制動筒体を静止収納する貫通孔を設けたプラグ状の保持部材とを有し、該保持部材を前リンクまたは後リンクに一体的に設置することにより、該保持部材で制動筒体の締め付けを維持させてもよい。
【００１１】
本考案に係るスライドヒンジにおいて、前面に開口部を有する筐体と、該筐体の開口部を閉鎖するように傾斜配置する前扉とを有する遊技機において、少なくとも２個のスライドヒンジを上下に分けて前扉と筐体の隣接側縁に取り付けることにより、前扉を開閉作動を確実に制動すると好ましい。
【考案の効果】
【００１２】
本考案に係るスライドヒンジは、前リンクおよび後リンクを介して固定ヒンジ枠体とブラケットとを軸着する際に用いる４本の軸ピンの少なくとも１本に制動装置を取り付けることにより、パチスロ機の前扉などの開閉扉を任意の開扉位置で静止できる。このスライドヒンジにより、前扉を開扉しておいてもその重量で自然に閉じてくることがなく、日常のメンテナンスを行う時に従業員が前扉に指を挟む事故を未然に防止できる。本考案のスライドヒンジは、大型の遊技機だけでなく、比較的小型の収納容器についても適用できる。
【００１３】
本考案のスライドヒンジは、開閉扉の重さや大きさなどに応じて、制動装置の数を増やしたり、該製造装置のボルトの締め付け度合いを加減してかなり大幅に制動度合いを調整することができる。本考案のスライドヒンジは、コイルバネやカム部材などを使用しないので比較的安価であり、前扉を全閉位置、半開位置および全開位置だけで静止するのではなく、該前扉を任意の開扉位置で静止できるので便利である。本考案のスライドヒンジは、既存のパチスロ機などに後付けすることも可能であるので数多くの使用数が期待できる。
【図面の簡単な説明】
【００１４】
【図１】本考案に係るスライドヒンジの閉扉状態を示す斜視図である。
【図２】図１のスライドヒンジの全開状態を示す斜視図である。
【図３】スライドヒンジの閉扉状態を示す水平断面図であり、図１とは部品の形状などが若干相違する。
【図４】スライドヒンジが中間閉扉の状態を示す水平断面図である。
【図５】スライドヒンジの全開状態を示す水平断面図である。
【図６】本考案で用いる制動装置を拡大して示す縦断面図である。
【図７】制動装置の変形例を拡大して示す縦断面図である。
【図８】図７に示すプラグ状の保持部材の貫通孔内に静止収納するプラスチック制動筒体を示す斜視図である。
【図９】２個のスライドヒンジを取り付けたパチスロ機を開扉した状態を示す概略斜視図である。
【考案を実施するための形態】
【００１５】
本考案を図面によって説明すると、本考案に係るスライドヒンジ１は、図１と図２に示すような外観を有する。開閉扉２は、筐体３に対して図１の閉扉状態から図２の全開状態まで約９０度旋回可能であり、この旋回角度は部品の形状や軸ピンの位置を変更すると多少増減できる。また、スライドヒンジ１は、参考のために開閉扉２の裏面と筐体３の内側壁に取り付けた状態を図示する。スライドヒンジ１は、実際には他の部品との接触を回避するために、開閉扉２と筐体３の前端縁との間に間隙を設けたり、開閉扉２の裏面の一部を凹ませて取り付ける（図３の状態を参照）。
【００１６】
スライドヒンジ１は金属製であって、図１から図５に示すように、筐体３の内側壁に固着する固定ヒンジ枠体５と、開閉扉２の裏面に固着するブラケット７と、固定ヒンジ枠体５およびブラケット７にそれぞれ軸着する前リンク８および後リンク１０とを備える。ブラケット７は、所定の間隔をおいて前後に配列させた前リンク８および後リンク１０により、図３から図５に示すように、固定ヒンジ枠体５に対して前方へ移動しながら旋回する。
【００１７】
固定ヒンジ枠体５は、図１と図２から明らかなように、横断面がＵ字形の枠本体１２を有し、該枠本体の基端部が外方へ直角に折曲して取付部１４，１４を形成する。固定ヒンジ枠体５は、２枚の板材から形成することも可能である。枠本体１２内には、前リンク８および後リンク１０を配置し、両リンク８，１０の基端部を貫通する第１軸ピン１６および第２軸ピン１８を両側壁に水平に固着し、この固着はカシメ止め、異形孔への挿入、溶接などで行えばよい。
【００１８】
前リンク８および後リンク１０は、図３から明らかなように、それぞれ基端部に貫通孔２０および先端部の貫通孔２２を有し、両リンク８，１０について貫通孔２０と２２との距離は等しいかまたは多少異なっている。両貫通孔２０，２２の内径は、前リンク８および後リンク１０が自由に回転できるように、軸ピン１６，１８の直径よりも僅かに大きい。
【００１９】
固定ヒンジ枠体５において、第１軸ピン１６と第２軸ピン１８の間隔は、両リンク８，１０における貫通孔２０と２２（図３）との距離と同一またはその距離よりも僅かに短くなるように定める。前方の第１軸ピン１６は、後方の第２軸ピン１８と比べて取付面２１（図３）からの垂直距離が長くなるように定める。一方、各取付部１４には、ボルト孔２３，２３などを穿孔する。
【００２０】
ブラケット７は、断面Ｕ字形の一体品であっても、図１と図２に示すような線対称に配置したＬ字形側面のブラケット片７ａ、７ｂで構成してもよく、両ブラケット片の折曲部２４にボルト孔２６，２６などを穿孔する。ブラケット片７ａ、７ｂの間隔は、固定ヒンジ枠体５の両側壁の間隔よりも大きくても、図示のようにほぼ等しくなるように定めてもよい。ブラケット片７ａ、７ｂ間には、前リンク８および後リンク１０の先端部の貫通孔２２を通過する第３軸ピン２８および第４軸ピン３０を配置し、両ブラケット片に水平に固着し、その固着法は前記と同じである。軸ピン２８，３０の直径は、前リンク８および後リンク１０が自由に回転できるように、両貫通孔２０，２２の内径よりも僅かに小さい。
【００２１】
ブラケット７において、第３軸ピン２８と第４軸ピン３０の間隔は、固定ヒンジ枠体５の第１軸ピン１６と第２軸ピン１８の間隔よりも短くなるように定める。前方の第３軸ピン２８は、図３の閉扉状態において、後方の第４軸ピン３０と比べて取付面２１（図３）からの垂直距離が長くように定め、この距離差によってブラケット７が前進しながら図４の中間位置から図５の全開位置まで回動するのが可能になり、この距離差がないと９０度近い旋回が不可能になる。
【００２２】
前リンク８は、横断面がＵ字形の棒材であると好ましく、該前リンクの側壁において長手方向の中間部に比較的深い凹み３２を設ける。凹み３２の形成は、図２または図５の全開状態において、第４軸ピン３０および後リンク１０の先端部３４が嵌まり込むので、約９０度の旋回のために必要である（図５参照）。前リンク８の先端部つまり第３軸ピン２８には制動装置３６（図３）を設置し、この制動装置はさらに前リンク８の基端部つまり第１軸ピン１６に設置してもよい。
【００２３】
後リンク１０は、横断面がＵ字形の棒材であると好ましく、該後リンクの先端部３４において幅狭になっている。後リンク１０では、幅狭の先端部３４が、図５の全開状態において前リンク８の中央部凹み３２内に嵌まり込むので、先端部３４が幅狭であることが必要である。後リンク１０の基端部つまり第２軸ピン１８には制動装置３８（図３）を設置し、この制動装置はさらに後リンク１０の先端部つまり第４軸ピン３０に設置してもよい。
【００２４】
スライドヒンジ１において、前記の制動装置３６，３８は、寸法，形状などが同一または多少異なっていてもよい。スライドヒンジ１は、大型で重い開閉扉２について図６に示す締め付け型が好ましく、比較的小型の収納容器には図７に示す圧入型が使用可能である。締め付け型の制動装置３６と３８は、スライドヒンジ１において実質的に同じであるため、以下では前リンク８に設置した制動装置３６について説明する。この制動装置は、前リンク８の下壁４０（図３）上に直接設置するけれども、該内底壁と軸ピンとの間隙が大きすぎる場合には、適当な板片（図示しない）を挿入して間隙を調整すればよい。
【００２５】
締め付け型の制動装置３６（図６参照）において、前リンク８の両側壁４２，４２間に、第３軸ピン２８に嵌装する耐磨耗性プラスチック製の可変の制動筒体４４と、該制動部材の外周面と対応する内周面を有する板バネ製の保持部材４６とを配置する。ボルト４８は、保持部材４６および制動筒体４４の延長部５０，５２，５２，５０を順次通過し、前リンク８の下壁４０に形成したネジ孔５４にねじ込まれる。
【００２６】
可変の制動筒体４４は、その内周面が円形断面である湾曲部５６と、該湾曲部の両端から接線方向へ平行に延設する延長部５２，５２を備えることにより、第３軸ピン２８の周面と接触する湾曲部５６の内周面が摩擦面となる。制動筒体４４の延長部５２，５２は、通常の状態で所定の縦間隙を有し、この間隙の存在によって湾曲部５６の内方変形による第３軸ピン２８の締め付けが可能となる。
【００２７】
可変の保持部材４６は、制動筒体４４の外周面と密接する湾曲部６０および延長部５０，５０を有する。ボルト４８が上方延長部５０に下方へ作用することにより、保持部材４６の湾曲部６０を介して制動筒体４４を内方へ締め付ける。保持部材４６の湾曲部６０は、制動筒体４４の外周面のほぼ全体を取り囲む。延長部５０，５０は、図示のようなほぼ同じ長さであっても長さが異なっていてもよい。
【００２８】
ボルト４８を回すと、保持部材４６および制動筒体４４を内方へ締め付け、該制動部材に軸ピン２８の制動力を付与する。ボルト４８は、そのねじ込み量によって制動筒体４４に付与する制動力を容易且つ微妙に調整できる。この保持部材が横長であれば、ボルト４８を複数本立設することも可能である。板スペーサ５８は、一般にバネ鋼製であり、制動筒体４４の延長部５２，５２間に介在させる。板スペーサ５８は、ボルト４８を緩めた際に、その弾力によって制動筒体４４の延長部５２，５２間を大きく開くことにより、第３軸ピン２８がフリー回動することが可能となる。
【００２９】
一方、圧入型の制動装置６２は、図７に例示するように、前リンク８の下壁４０上に配置したプラグ状の保持部材６４からなり、該保持部材に横貫通孔６６を設ける。保持部材６４は、前リンク８の両側壁４２，４２間に配置され、該保持部材の横断面がほぼ半円形であることにより、保持部材６４の底面が下壁４０の表面と接触し、該保持部材は前リンク８とともに回動・静止する。この保持部材は、前リンク８の表面にボルト止めされるような構造でもよい。保持部材６４に設けた貫通孔６６は、円形内周面において軸方向にキー溝６８を形成した円筒形状であればよい。貫通孔６６には、第３軸ピン２８を挿入し、さらに該軸ピンを支持するプラスチック制動筒体７０を収納する。
【００３０】
図８に示す制動筒体７０は、フランジ部７２および円筒部７４とからなり、該円筒部の外周壁に軸方向のキー突条７６を形成する。円筒部７４の外径は、貫通孔６６の直径とほぼ等しく、該円筒部の内径は非圧入状態で第３軸ピン２８の直径よりも僅かに小さい。制動筒体７０は、耐磨耗性プラスチック製であるので長期間使用することが可能である。制動筒体７０を貫通孔６６内に収納すると、軸方向に設けたキー突条７６が貫通孔６６のキー溝６８と係合して静止することにより、制動筒体７０はフランジ部７２を除いて貫通孔６６内に完全に嵌り込んで静止する。
【００３１】
制動筒体７０の円筒部７４は、保持部材６４の横貫通孔６６の深さと同じまたはそれ以下である。制動筒体７０を貫通孔６６内に収納し、さらに保持部材６４の反対端面側にフランジ部７２とほぼ同厚のワッシャ（図示しない）を挿入する。この結果、第３軸ピン２８は、制動筒体７０に圧入されるため、該制動筒によって前リンク８に対して制動回転する。フランジ部７２は、保持部材６４の端面と前リンク８の側壁４２との間に位置し、該フランジ部は図示よりもより薄いことが好ましい。
【００３２】
スライドヒンジ１は、通常、開閉扉２を有する筐体３について、該筐体の内側壁前方に固定ヒンジ枠体５を固着し、例えば取付部１４，１４をボルト止めする。一方、ブラケット７は開閉扉２の裏側側端部に固着し、例えば折曲部２４，２４をボルト止めする。スライドヒンジ１は、その一部が内側の金属フレームに組み込まれているならば、取付部１４や折曲部２４が存在しない態様もある。制動装置３６または３８は、軸ピン１６，１８，２８，３０のいずれかに取り付ければよく、高い制動力を要する場合には４本の軸ピンのいずれにも設置すればよい。
【００３３】
スライドヒンジ１は、開閉扉２の重さや大きさなどに応じて、制動装置３６，３８の数を増やしたり、該制動装置のボルト４８の締め付け度合いを加減して制動度合いを調整できる。スライドヒンジ１は、コイルバネやカム部材などを使用しないので比較的安価であり、開閉扉２を任意の開扉位置において静止できるので便利である。スライドヒンジ１は、既設の機器において設置された従来のスライドヒンジについて、制動装置３６または３８を後付けすることも可能である。
【００３４】
図９において、スライドヒンジ１の使用例を示す。大型の遊技機の一例であるパチスロ機８０は、前面に開口部８４を有する筐体８６と、該筐体の開口部を閉鎖するように傾斜配置する重い前扉８２とを備える。前扉８２は、１枚で筐体８６の開口部８４を閉鎖する態様が一般的であり、さらに上下に分割した２枚または３枚以上で閉鎖する構造のものも存在する。スライドヒンジ１は、図９において筐体８６の側壁上下に分けて２組設置し、前扉８２が大きくて重い場合には上下方向に分けて３個以上設置することも可能である。
【００３５】
スライドヒンジ１をパチスロ機８０に設置すると、制動装置３６，３８によって第２軸ピン１８に対する前リンク８および第３軸ピン２８に対する後リンク１０の旋回を制動する。この結果、パチスロ機８０は、前扉８２を開閉するいずれの方向にも制動され、該前扉を開扉しておいてもその重量で自然に閉じてくることがなく、日常のメンテナンスを行う時に従業員が前扉に指を挟む事故を未然に防止できる。前扉８２を開閉する際には、ブラケット７が制動回転できるように、力を多少加えることが必要である。
【実施例１】
【００３６】
次に、本考案を実施例に基づいて説明するが、本考案は実施例に限定されるものではない。金属製のスライドヒンジ１は、図３から図５に示すように、筐体３の内側壁に固着する固定ヒンジ枠体５と、開閉扉２の裏面に固着するブラケット７と、固定ヒンジ枠体５およびブラケット７にそれぞれ軸着する前リンク８および後リンク１０とを備える。固定ヒンジ枠体５は、長さ６８ｍｍ、高さ５０ｍｍおよび両側壁の内寸２１ｍｍである。
【００３７】
固定ヒンジ枠体５は、図１と図２において、横断面がＵ字形および側面がほぼ直角三角形状の枠本体１２を有し、該枠本体の基端部が外方へ直角に折曲して取付部１４，１４を形成する。断面Ｕ字形の枠本体１２内には、前リンク８および後リンク１０を配置し、両リンク８，１０の基端部を貫通する第１軸ピン１６および第２軸ピン１８を両側壁にカシメ止めして水平に固着する。前リンク８および後リンク１０は、それぞれ基端部の貫通孔２０および先端部の貫通孔２２を有し、両リンク８，１０について貫通孔２０と２２との距離は実質的に等しい。両貫通孔２０，２２の内径は軸ピン１６，１８の直径よりも僅かに大きい。
【００３８】
固定ヒンジ枠体５において、第１軸ピン１６と第２軸ピン１８の間隔は、両リンク８，１０における貫通孔２０と２２（図３）との距離よりも僅かに短く、貫通孔２０と２２との距離が３０ｍｍであれば２５ｍｍ程度である。前方の第１軸ピン１６は、後方の第２軸ピン１８と比べて取付面２１（図３）からの垂直距離が長く、第２軸ピン１８の垂直距離が３５ｍｍであれば、その垂直距離は４０ｍｍ程度である。一方、各取付部１４には、ボルト孔２３，２３や係合穴２５を穿孔する。
【００３９】
ブラケット７は、図１と図２に示すような線対称に配置したＬ字形側面のブラケット片７ａ、７ｂで構成し、両ブラケット片の折曲部２４にボルト孔２６，２６を穿孔する。ブラケット片７ａ、７ｂの間隔は、固定ヒンジ枠体５の両側壁の間隔にほぼ等しい。ブラケット片７ａ、７ｂ間には、前リンク８および後リンク１０の先端部の貫通孔２２を通過する第３軸ピン２８および第４軸ピン３０を配置し、両ブラケット片にカシメ止めして水平に固着する。軸ピン２８，３０の直径は、両貫通孔２０，２２の内径よりも僅かに小さい。
【００４０】
ブラケット７において、第３軸ピン２８と第４軸ピン３０の間隔は、固定ヒンジ枠体５の第１軸ピン１６と第２軸ピン１８の間隔よりも短く、第１軸ピン１６と第２軸ピン１８の間隔が２５ｍｍであれば１７ｍｍ程度である。前方の第３軸ピン２８は、図３の閉扉状態において、後方の第４軸ピン３０と比べて取付面２１からの垂直距離が長く、第４軸ピン３０の垂直距離が５ｍｍであれば、その垂直距離は１２ｍｍ程度であり、この距離差によってブラケット７が前進しながら約９０度回動できる。
【００４１】
前リンク８および後リンク１０は、横断面がＵ字形の棒材であり、前リンク８の側壁において長手方向の中間部に凹み３２を設ける。凹み３２は、図２または図５の全開状態において、第４軸ピン３０および後リンク１０の先端部３４が嵌まり込む（図５参照）。後リンク１０は、その先端部３４において幅狭になっている。後リンク１０では、幅狭の先端部３４が、図５の全開状態において、前リンク８の中央部凹み３２内に嵌まり込む。制動装置３６，３８（図３）は、先リンク８の第３軸ピン２８および後リンク１０の第２軸ピン１８に設置する。図示しないけれども、プラスチック製の２個の円筒カラー（図示しない）を第４軸ピン３０に嵌装し、該カラーは幅狭の先端部３４の外側壁とブラケット７の内側壁との間隙にそれぞれ配置する。
【００４２】
前記の制動装置３６や３８において、前リンク８の両側壁４２，４２間に、第３軸ピン２８に嵌装する耐磨耗性ポリアセタール製のプラスチック制動筒体４４と、該制動部材の外周面と対応する内周面を有する板バネ製の保持部材４６とを配置する。ボルト４８は、保持部材４６および制動筒体４４の延長部５０，５２，５２，５０を順次通過し、前リンク８の下壁４０に形成したネジ孔５４にねじ込まれる。制動筒体４４および保持部材４６の横幅は、前リンク８の支持部４２，４２の内寸間隔にほぼ等しいかまたはワッシャ（図示しない）挿入分だけ狭くする。
【００４３】
可変の制動筒体４４は、その内周面が円形断面である湾曲部５６と、該湾曲部の両端から接線方向へ平行に延設する延長部５２，５２を備えることにより、第３軸ピン２８の周面と接触する湾曲部５６の内周面が摩擦面となる。制動筒体４４の延長部５２，５２は、通常の状態で所定の縦間隙を有し、この間隙の存在によって湾曲部５６の内方変形による第３軸ピン２８の締め付けが可能となる。
【００４４】
可変の保持部材４６は、制動筒体４４の外周面と密接する湾曲部６０および延長部５０，５０を有する。ボルト４８が上方延長部５０に下方へ作用することにより、保持部材４６の湾曲部６０を介して制動筒体４４を内方へ締め付ける。保持部材４６の湾曲部６０は、制動筒体４４の外周面のほぼ全体を取り囲む。
【００４５】
ボルト４８を回すと、保持部材４６および制動筒体４４を内方へ締め付け、該制動部材に軸ピン２８の制動力を付与する。板スペーサ５８は、一般にバネ鋼製であり、制動筒体４４の延長部５２，５２間に介在させる。板スペーサ５８は、ボルト４８を緩めた際に、その弾力によって制動筒体４４の延長部５２，５２間を大きく開くことにより、第３軸ピン２８がフリー回動できる。
【００４６】
２個のスライドヒンジ１をパチスロ機８０（図９）のような遊技機に設置するには、ブラケット７を前扉８２の裏側側端部にボルト止めし、且つ固定ヒンジ枠体５を筐体８６の内側壁前方にボルト止めする。パチスロ機８０は、図９に例示するように、リール８８，９０，９２および回路基板などを収容する筐体８６を備える。筐体８６の内部には、３本のリール８８，９０，９２を横方向に平行に配置し、これらのリールは前扉に設置される構造でもよい。各リール８８，９０，９２は、円筒状のフレームの周面において、多数の図柄を回転方向に沿って連続的に配列した帯状のシートを貼り付ける。
【００４７】
図示しないけれども、前扉８２の中央には液晶表示体を設け、該液晶表示体は、３個の表示窓を含む平坦な表示画面からなり、前扉８２の閉鎖時に、正面から見て３本のリール８８，９０，９２と重合して前方側に位置するように配置する。各表示窓は、各リール８８，９０，９２のそれぞれに対応するように配列し、その背後に位置するリール８８，９０，９２を透視可能な構造である。この表示窓は、図柄の表示窓としての機能を果たし、背後のリール８８，９０，９２の回転および停止の動作が遊技者側から視認可能である。前記の液晶表示体は、各表示窓を含めた表示画面の全体において、映像の表示を行ってゲームを演出する。
【００４８】
各表示窓は、背後のリール８８，９０，９２の回転を停止したとき、各リール８８，９０，９２の表面に配列した多数の図柄の中から、その枠内の上段、中段、下段の領域においてそれぞれ１個の図柄を表示する。また、各表示窓の上段、中段、下段の領域において、予め定めたいずれかをそれぞれ組合せる擬似的なラインを入賞か否かの判定を行う対象となる入賞判定ラインとして定義する。
【００４９】
一方、前扉８２には、遊技者によるゲーム操作の対象となる各部材を設ける。メダル投入口は、遊技者によって外部から投下されるメダルを受け入れる。メダル投入口に投入されたメダルは、例えば、所定枚数の３枚を上限として１回のゲームに使用されることになり、クレジット機能として、所定枚数を超えたメダル分はパチスロ機８０の内部に預けることができる。ベットボタンは、パチスロ機８０の内部に預けられたメダルから１回のゲームに投入する枚数を決定する。精算ボタンは、パチスロ機８０の内部に預けられたメダルを外部に引き出す。スタートレバーは、全てのリール８８，９０，９２の回転を開始する。３個のストップボタンは、各リール８８，９０，９２のそれぞれに対応づけ、対応するリール８８，９０，９２の回転を停止する。
【００５０】
スライドヒンジ１，１をパチスロ機８０に設置すると、制動装置３６，３８によって第２軸ピン１８に対する前リンク８および第３軸ピン２８に対する後リンク１０の旋回を制動する。この結果、パチスロ機８０は、前扉８２を開閉するいずれの方向にも制動され、該前扉を開扉しておいてもその重量で自然に閉じてくることがなく、日常のメンテナンスを行う時に従業員が前扉に指を挟む事故を未然に防止できる。前扉８２を開閉する際には、ブラケット７が制動回転できるように、力を多少加えることが必要である。
【実施例２】
【００５１】
図７には、圧入型の制動装置６２を実施例１のスライドヒンジ１に取り付ける場合を例示する。制動装置６２は、前リンク８の下壁４０上に配置し且つ横貫通孔６６を設けたプラグ状の保持部材６４からなる。保持部材６４は、前リンク８の両側壁４２，４２間に配置され、該保持部材の横断面がほぼ半円形であることにより、保持部材底面が下壁４０と接触し、保持部材６４は前リンク８とともに回動・静止する。保持部材６４の貫通孔６６は、円形内周面において軸方向にキー溝６８を形成した円筒形状である。貫通孔６６には、第３軸ピン２８を挿入し、さらに該軸ピンを支持するプラスチック制動筒体７０を収納する。
【００５２】
図８に示す耐磨耗性ポリアセタール製の制動筒体７０は、フランジ部７２および円筒部７４とからなり、該円筒部の外周壁に軸方向のキー突条７６を形成する。円筒部７４の外径は、貫通孔６６の直径とほぼ等しく、該円筒部の内径は非圧入状態で第３軸ピン２８の直径よりも僅かに小さい。制動筒体７０を貫通孔６６内に収納すると、軸方向に設けたキー突条７６が貫通孔６６のキー溝６８と係合して静止し、且つフランジ部７２の下側隅入れ部７８が貫通孔６６の面取り周縁（図示しない）と密接することにより、制動筒体７０はフランジ部７２を除いて貫通孔６６内に完全に嵌り込んで静止する。
【００５３】
制動筒体７０の円筒部７４は、保持部材６４の横貫通孔６６の深さと同じまたはそれ以下である。制動筒体７０を貫通孔６６内に収納し、さらに保持部材６４の反対端面側にフランジ部７２とほぼ同厚のワッシャ（図示しない）を挿入する。フランジ部７２は、保持部材６４の端面と前リンク８の側壁４２との間に位置する。第３軸ピン２８は、制動筒体７０に圧入されるため、該制動筒によって前リンク８に対して制動回転する。
【００５４】
制動装置６２，６２を取り付けたスライドヒンジをパチスロ機８０に設置すると、該制動装置によって第２軸ピン１８に対する前リンク８および第３軸ピン２８に対する後リンク１０の旋回を制動する。この結果、パチスロ機８０は、前扉８２を開閉するいずれの方向にも制動され、該前扉を開扉しておいてもその重量で自然に閉じてくることがなく、日常のメンテナンスを行う時に従業員が前扉に指を挟む事故を未然に防止できる。
【符号の説明】
【００５５】
１    スライドヒンジ
２    開閉扉
３    筐体
５    固定ヒンジ枠体
７    ブラケット
８    前リンク
１０    後リンク
１６    第１軸ピン
１８    第２軸ピン
２８    第３軸ピン
３０    第４軸ピン
３６，３８    制動装置
【図１】
0003188391.tif 000003
【図２】
0003188391.tif 000004
【図３】
0003188391.tif 000005
【図４】
0003188391.tif 000006
【図５】
0003188391.tif 000007
【図６】
0003188391.tif 000008
【図７】
0003188391.tif 000009
【図８】
0003188391.tif 000010
【図９】
0003188391.tif 000011